(57)【要約】      （修正有）【課題】感をみがき、ルールのきびしさ楽しさ、競争のきびしさ楽しさ、家族仲間で楽しめば和の楽しさを味わえる玩具を提供する。【解決手段】１,ブロック玩具で、立て９．１ｃｍ横５．５ｃｍ奥行２．８ｃｍにともえ彫大、小１ヶづつ幅０．３奥行１．５ｃｍの切抜き、右・左面に１ヶづつ図１に上部斜面の部を厚さ０．５に削ったものである。そしてそれをころがして、競うスポーツ玩具である。２,このブロックは特殊制があるそれはともえ彫で転ぶ時に風が起きますがそれを安定不安定に保つためのものである。大・小の２ヶがある。３,点Ｍを中心に半径１ｃｍの円を切り抜き、そこへ鈴を付けた。それは鈴の音ではつらつさを出す効果がある。【選択図】図１
2005161003.tif 000002
【特許請求の範囲】
【請求項１】
【発明の詳細な説明】
2005161003.tif 000003
【図１】
2005161003.tif 000004
【図２】
2005161003.tif 000005
【手続補正書】
【提出日】平成16年8月17日(2004.8.17)
【手続補正１】
【補正対象書類名】特許請求の範囲
【補正対象項目名】全文
【補正方法】変更
【補正の内容】
【特許請求の範囲】
【請求項１】
ａ発明方法は縦９０ミリ横を５７ミリ厚さ幅が３０ミリの長方型立方体からなり体形の中心点をきめて中心点より半径１０ミリの孔を垂直に開ける、その側を表面うらの背面、上面、底面、左面、右面に成り立つ。
ｂ、上面は面の中心点を計り、長さ５１ミリ、幅２４ミリを高さ５ミリの凸型状に工作する。
ｃ左右面に全体の中心を計った表面の上下中央線を左右面に延長してあると仮定し左右面の上下より緩やかに上下中央線の上で合うように約１００分５０ミリの盛り上がりを滑らかに工作をする。
【請求項２】
ａ全体の中心点に開けた孔を筒に見立て鈴を入れて鈴の筒全体の動きブレを少なく縦幅の動きをままに巴状の蓋で鈴の音が聞こえる用に鈴約１５ミリを設ける
ｂ、中心孔の回りに適所を考慮の上、約直径１５ミリの孔を表面から背面へ垂直に４個所設ける
ｃ用いた上下中央線が左右面に延長があると仮定し線より上に数ミリを点に４５度下向き切口数ミリ深さバランスを考えて適度に左側面に切り欠きをし右側には線より下数ミリを点に４５度上向き切口数ミリ深さバランス考慮し適度に切り欠きを設ける、これらの方法。
【請求項３】
ａ左右面に上底面の四面にブイ字型溝を設ける。
ｂ、上面底面の二面に調整釘を使用。ａ、ｂの方法。
【請求項４】
請求項１から３を方法とした形態を玩具とする。
【請求項５】
請求項１から３で上げました工作玩具を転がしてリハビリに役立たせ遊びと併用可能とする玩具。
ただこの発明はマットのような上で遊ぶ玩具。
【手続補正書】
【提出日】平成16年11月1日(2004.11.1)
【手続補正２】
【補正対象書類名】図面
【補正対象項目名】全図
【補正方法】変更
【補正の内容】
【図１】
2005161003.tif 000006
【図２】
2005161003.tif 000007
【図３】
2005161003.tif 000008
【図４】
2005161003.tif 000009
【手続補正書】
【提出日】平成16年11月1日(2004.11.1)
【手続補正１】
【補正対象書類名】明細書
【補正対象項目名】全文
【補正方法】変更
【補正の内容】
【発明の詳細な説明】
【０００１】転がし遊ぶ玩具に関する
【０００２】転がして遊ぶ玩具としてサイコロが有るが形、遊び方が違う又、ころがして投げて遊ぶにはボーリングがあるが遊び方や道具が全く違う又、場所も広くあらねばならない
【発明の開示】
【発明が解決しようする課題】
【０００３】女性、赤ちゃん、御歳を召した方など様々の方が楽しい音で場所が狭く道具が少なく一人で楽しめ三人でも楽しめる、用は発明品とカーペト類があれば楽しめるように工作した又、幼児、お年寄りでも、障害者にも楽しめる発明にする
【課題を解決するための手段】
【０００４】縦幅９０ミリ横幅５７ミリ厚さ３０ミリの材料で正確密な、長方形立方体を用意し面積の多い面を表面に決め背面、左面右面、上面、底面の六面から成り立つ。
【０００５】まず、全体の中心を計り孔を開ける、但し開けた孔は筒と見たてブレを少なくして鈴の音色がよく聞こえるように鈴を、巴蓋で調整する、それは縦に応用きき横にも、しかし表面、背面への影響が少なくし、核にもなる孔２０ミリ鈴１５ミリ
【０００６】上面への工作が不可欠であり上面への工作は次のとうりです上面の面積の中央点を表し中央点より長さに応じて数ミリと幅２４ミリ高さ５ミリにした、凸状態にする、回転に効果、
【０００７】左右側面に付いて記します、それは切り欠きで左面に全体の中央点を計るさい上下を分けた線が左面に延長してあると仮定した線より上へ１０ミリ点を切り目を下に４５度斜めに奥行き１５ミリ約切り口は上３ミリ広げて左面の切り欠きをして右面は上下反対にして工程を繰り返すと右面も、切りかきが出来る
【０００８】上面の中央点を割り出し長さ数ミリ幅約２４ミリ高さ３ミリを凸状態の加工工作を設けるこの工作は不可欠である
【０００９】左右側面には切り欠きの他にもう一つ、工作しなければならないのは左右側面に僅かの盛り上がりを工作をする、表面を見て全体から上下を分けた線に近い程、緩やかに盛り上げるように、下からも同じく上下を分けた線に近い程、緩やかに盛り上げて上からと下からが相一致させて上下を分けた線まで盛り上げ、幅は１００分５ミリ約にする、下からも同様として左右面に工作するのは良く回転し易くするためです左右面の面の状態は凸凹でなく滑らかして縁取りがある
【００１０】前もって記さなければならない個所だと思った事柄で有るが最初のあけた中央点に開けた孔とは別に表面から背面に開ける孔を適所に設けるがその部分をも筒と見なし鈴を入れる場合もある鈴の音の違いで癒しなると信じて、入れる場合中心の鈴より小さい物を入れるが鈴の音色が良く聞こえる細工をする又、二のつぎは斜めにつまり中心の鈴を挟んで斜めの孔だけに小さい鈴を入れ、残りの孔はそのまま開けておき個所は上部二個所、下部二個所の４個開ける、これは発明品へのの軽減と鈴の音色の響きを狙いとした
【００１１】ブイ字型溝を設ける、ただのまやかしではない回転し易いのでただ、抵抗を少なくするとともに軽減にも繋がる、又、縦姿がより良く見える、又、幅１０ミリ以内深さ３ミリを越えない溝がよいとする
【００１２】調整釘は縦姿が出来るだけ多く出たほうが良いと見て用立てした個所である、それでも鈴と縁取りが丸みを帯びて要るので遊ぶには思うような点数が出せない、２４０投２４の出目
【００１２】０８で説明した盛り上げに関する事です、今一なので説明を平面を何の用にて盛り上げるか、回転をすむうずするためで外側の左右側面の角を５ミリ間隔で丸みに取る又、左右側面のはじはじから上下を分けた中央線まで盛り上げにした場合角を丸目にした時、凸面が２ミリ約長さにおいて目減りするが、回転に良いので影響がよい、四つ角外側を丸目をつける
【００１３】赤ちゃん御歳を召した方のために鈴を付けたが鈴は軽く感じ入るらしく喜んで貰えると信じて居ますリハビリにも効果、
【００１４】一応材料はこばまじとするが私は、木材が一番におもうので木材に憧れる
【００１５】この発明は台所マット、カーペットのような部品で遊ぶ玩具
【００１６】赤ちゃんには振って音を聞かせる
【００１７】この発明は０８の左右側面は平面が自然に盛り上げるような工作をする
【発明の効果】
幼い子から老人まで歳に関係なく一緒に遊ぶ事ができる
【産業上の利用可能性】幼い子から歳老いた方まで一緒に遊べる環境を提供できる
【図面の簡単な説明】
【００１８】
【図１】表面から見た図
【図２】上面を真上から見た図
【図３】左右側面を見た図
【図４】底面を見た図
【符号の説明】
【００１９】
【図１】
１は凸状態の部分、約５１ミリ幅２４ミリ高さ５ミリ、
２は円筒でこの円筒に鈴入れて全体の中心にして色々に役立つ個所である
３は巴蓋で鈴を調整する
４は上下適所二個所づつ設けるがバランス考慮しながら孔を開け鈴をいれて蓋をするが音が聞こえる事条件
５上下を分けた中央線
６切り欠き、これは付ける場合逆に付けるもう一方の方法がある、バランスの効果次第で設ける場合もある
７上下を分けた中央線があると仮定した位置
８と９は７をきわだす少しの削る部分７の幅５７ミリ、８と８の幅は少し狭まる
９と９の幅は少し狭まる９と８の幅は同じである
１０は幅を９０ミリを表すと共に調整釘の位置に当たる７と７の幅は５７ミリである
【図２】
上面を真上から見た図
１は中心点又は調整釘の位置
２、３、４、５は凸状態の広さ幅を表し削る幅を表す
６は凸の部分を斜線で表したに過ぎない
７凸状態にした中心と共に重複斜線はブイジ型溝である
【図３】
左右側面図
１は凸型状にした部分
２はブイ字型溝
３切り欠きの位置
４切り欠きの幅
【図４】
底面を見た図
１は底面の広さ
２はブイ字型溝
３は調整釘の位置
【手続補正２】
【補正対象書類名】特許請求の範囲
【補正対象項目名】全文
【補正方法】変更
【補正の内容】
【特許請求の範囲】
【請求項１】
〔０１〕
Ａ上面の面積を凸型状に工作した
Ｂ全体の中心点２０ミリを孔に開け筒に見立てる
Ｃ左右側面の盛り上げを滑らかに緩やかに工作した
Ｄｃのため側面の工作のため外角を丸くするためｃ角に２ミリ約のめべりが生じるが回転力が増す、
Ｅ中心の筒の回りに上下を分けた線とバランスを、考慮にいれながら上部下部に２個ずつ垂直に開け
Ｆ開けた孔はみな筒に見なし、鈴を入れ音色楽しむ
Ｇ鈴が飛び出さないよおに蓋をするが巴蓋で調整し
Ｈバランスを壊さないように切り欠きを設ける立ち姿は良い左右側面に２ケ所ずつに設ける
Ｉ何故ならブイ字型溝も設けるので立ち姿がより良く見える
Ｊ調整釘を設けるが上面底面の２ケ所設ける。
Ｋそもそもは縦幅９０ミリ横幅５７ミリ厚さ３０ミリの材料を孔鈴工作に凸状にした結果が実りです
Ｌ表面から見て左右側面の盛り上げは仮定した中央線が最高幅となり５７ミリとなります形を請求
【請求項２】
〔００１〕を通りくだった物だけがリーサドドロッククとなります
【請求項３】
この発明は赤ちゃから御歳を召した方まで一緒に遊ぶ事を提供するために出来た玩具である
【請求項４】
この発明はマットやカーペット類、が必要、例えば台所用にある物でも遊べる